(57)【要約】【課題】    鉛筆で書いた文字等を消しゴムで消去する際に出る消し屑を簡単で容易に取り除くことを可能にした消しゴムの消し屑取り具を提供する。【解決手段】片面に粘着剤を塗布した粘着シートを積層体とし、粘着面を底面とし、上部には持ち手を設け、これを一体とした消しゴムの消し屑取り具。鉛筆で書いた文字等を訂正又は消去する際に消しゴムを使用しているが、その時に紙面にできた消しゴムの屑は底面の粘着部に吸着させて取り除くようにし、粘着力が低下した底面の粘着シートは剥ぎ取ることにより連続して消し屑を取り除くことを特徴とする消しゴムの屑取り具である。【選択図】  図１
2015019852.tif 000002
【特許請求の範囲】
【請求項１】
片面に粘着剤を塗布したシート材を多重の積層体として，粘着部（面）を消しゴムの消し屑を吸着出来るように底面になるように設け、上部には持ち手を付け、これを一体の消しゴムの屑取り具とすることで、文字、図、絵などを訂正又は消去するために、消しゴムを使用した際に出る消しゴムの屑を粘着部に吸着して取り除くことを特徴とする消しゴムの屑取り具。
【請求項２】
片面に粘着剤を塗布したシート材を積層体としたものは、粘着力を無くした使用済みのシートを剥がすのに手間がかかるため、粘着シートの一辺及び複数辺に非粘着部を設けることを特徴とする消しゴムの屑取り具。
【発明の詳細な説明】
【技術分野】
【０００１】
本発明は粘着面を利用して消しゴムの消し屑を取り除くことに関するものである。
【背景技術】
【０００２】
従来、鉛筆で書いた文字等を訂正又は消去するために消しゴムを使用して出た消しゴムの屑を取り除くための道具は無く、一部考案されても実用に供されるものではなかった。
【０００３】
上記の考案されたものは、器具を用いているため手間がかかり、そのうえ安価で供給することができないため不向きであった。
【０００４】
従来の消しゴムの屑取り具には上記のような欠点があった。
【先行技術文献】
【特許文献】
【０００５】
【特許文献１】特開２００５−１３２０８１
【特許文献２】特開２００９−１９６３３５
【発明の概要】
【発明が解決しようとする課題】
【０００６】
従来文字等を消しゴムで消した後の消しゴムの屑を取り除くための簡単な器具や用具がなかった。本発明は、このような問題を解決するために粘着部に消しゴムの消し屑を吸着させて簡単に消し屑を取り除く用具を提供することを目的としている。
【課題を解決するための手段】
【０００７】
片面に粘着剤を塗布したシート材を多重の積層体として、粘着部（面）を消しゴムの消し屑を吸着できるように底面になるように設け、上部には持ち手を設け、これを一体の消しゴムの屑取り具とすることで、文字、図、絵などを訂正又は消去するために消しゴムを使用した際に出る消しゴムの屑を粘着部に吸着して取り除くことを特徴とする消しゴムの屑取り具。
【０００８】
上記の粘着剤を塗布して積層にした粘着シートは、剥がし難くなるため粘着シートの1辺又は複数辺に粘着剤を塗布しない部分を設けシートを剥がし易くすることを特徴とする。
【０００９】
又、積層した粘着シートは残りの枚数が少なくなると扱い難くなるため図4、図5、図6、図7、図8のような持ち手を取り付けたものを特徴とする。
【００１０】
上記の持ち手は図に表している物以外に人の形、動物、植物を模したものなどの形状にすることもできる。
【００１１】
積層の粘着シートは角型に限らず多種の形状にすることもできる。
【００１２】
粘着シートの大きさは実施例に表示している形状を特定したものではなく使用するために便利な大きさにすることが出来る。
【００１３】
図１の消しゴムの屑取り具のような粘着シート材と持ち手を一体にしたものではなく粘着シート材の積層体のみの屑取り具とすることもできる。
【００１４】
文字等を消去した後の消しゴムは黒く汚れているが、この汚れを取るために従来は、無地の紙に汚れた部分を擦りつけて汚れを落としていた。そのため更に消し屑が出ていた。
しかし、この汚れも粘着部に消しゴムを当てて擦るだけでゴムの汚れは粘着部に吸着されて消し屑を出すこともなく簡単にきれいに落とすことができる。
【発明の効果】
【００１５】
以上の説明から明らかなように、本発明は次のような効果が得られる。
【００１６】
粘着シートを多重の積層体とすることで、消し屑を吸着させて粘着力が落ちたときは最下部の粘着シートを剥ぐだけで新しい粘着部が現れ更に消し屑を吸着することができる。
【００１７】
シート面に残った消し屑は従来、手や、鳥の羽根で払い除けていたため机上や床の上、畳の上等に散乱してゴミとなり、それを片付ける煩わしさがあったが本消しゴムの屑取り具を使用することで解消される。
【図面の簡単な説明】
【００１８】
【図１】本発明を実施するための消しゴムの屑取り具の斜視図である。
【図２】粘着シートの粘着部と不粘着部を表した平面図である。
【図３】図2の側面図である。
【図４】図1の消しゴムの屑取り具の上部の持ち手である。
【図５】丸型のつまみをもった持ち手の側面図である。
【図６】図5の平面図である。
【図７】縦型のつまみを持つ持ち手の側面図である。
【図８】図7の平面図である。
【発明を実施するための形態】
【００１９】
以下、本発明の実施の形態を図1〜図8に基づいて説明する。
【実施例】
【００２０】
図1は本発明の消しゴムの屑取り具の斜視図であって1は粘着シートの積層体、3は持ち手で本体の粘着シートを使用して粘着シートが少なくなったときに使用しづらくなるので使用がし易いように設けた持ち手である。４は粘着部（面）である。
【００２１】
図2は粘着層の一部の1枚の平面図で粘着シート（2）と粘着シートを剥がし易いように非粘着部（５）を設けている。
【００２２】
図４は図１の上部の持ち手の斜視図である。
【００２３】
図５及び図６は丸いツマミを持った持ち手の側面図と平面図である。
【００２４】
図７、図８は小片の板状のツマミを持った持ち手の側面図と平面図である。
【００２５】
図１のような用具を製作した。
【００２６】
図１に示すように縦2,5cm,横5,5cm,高さ5,0cmの底面を粘着部とした粘着シートの積層体と上部に持ち手を設けた一体の消しゴムの屑取り具を製作した。
【００２７】
以上のような消しゴムの屑取り具で消しゴムを使用した後の消し屑を最下部の粘着シートで消し屑を粘着部に吸着させて取り除き、吸着力が無くなった粘着シートは剥ぎとって捨て、次の新しい粘着部に吸着させることを連続して使用することが出来るので消し屑を散乱させる事がなくなり筆記作業が楽になった。
【符号の説明】
【００２８】
１  粘着シートの積層体
２  粘着シート
３  持ち手
４  粘着部
５  非粘着部
６  丸いツマミ
７  丸いツマミを持つ持ち手
８  角のツマミ
９  角のツマミを持つ持ち手
【図１】
2015019852.tif 000003
【図２】
2015019852.tif 000004
【図３】
2015019852.tif 000005
【図４】
2015019852.tif 000006
【図５】
2015019852.tif 000007
【図６】
2015019852.tif 000008
【図７】
2015019852.tif 000009
【図８】
2015019852.tif 000010
【手続補正書】
【提出日】平成25年9月9日(2013.9.9)
【手続補正１】
【補正対象書類名】明細書
【補正対象項目名】全文
【補正方法】変更
【補正の内容】
【発明の詳細な説明】
【技術分野】
【０００１】
本発明は粘着面を利用して消しゴムの消し屑を取り除くことに関するものである。
【背景技術】
【０００２】
従来、鉛筆で書いた文字等を訂正又は消去するために消しゴムを使用して出た消しゴムの屑を取り除くための道具は無く、一部考案されても実用に供されるものではなかった。
【０００３】
上記の考案されたものは、器具を用いているため手間がかかり、そのうえ安価で供給することができないため不向きであった。
【０００４】
従来の消しゴムの屑取り具には上記のような欠点があった。
【先行技術文献】
【特許文献】
【０００５】
【特許文献１】特開２００５−１３２０８１号公報
【特許文献２】特開２００９−１９６３３５号公報
【発明の概要】
【発明が解決しようとする課題】
【０００６】
従来文字等を消しゴムで消した後の消しゴムの屑を取り除くための簡単な器具や用具がなかった。本発明は、このような問題を解決するために粘着面に消しゴムの消し屑を吸着させて簡単に消し屑を連続して取り除く用具を提供することを目的としている。
【課題を解決するための手段】
【０００７】
片面に粘着剤を塗布したシートを積層体とし、粘着部を底面とし、上部には持ち手を設け、これを一体の消しゴムの屑取り具とし、文字、図、絵などを訂正又は消去するために消しゴムを使用した際に出る消しゴムの消し屑を連続して粘着面に吸着して取り除くことを特徴とする消しゴムの屑取り具。
【０００８】
上記の粘着剤を塗布したシートを積層体とした粘着シートは、粘着力が低下した使用済みの粘着シートは剥がし難いため粘着シートの一辺又は複数辺に非粘着部を設けことを特徴とする消しゴムの屑取り具。
【０００９】
又、積層した粘着シートは残りの枚数が少なくなると扱い難くなるため図4、図5、図6、図7、図8のような持ち手を取り付けたものを特徴とする。
【００１０】
上記の持ち手は図に表している物以外に人の形、動物、植物等を模したものなどの形状にすることもできる。
【００１１】
積層の粘着シートは角型に限らず多種の形状にすることもできる。
【００１２】
粘着シートの大きさは実施例に表示している形状を特定したものではなく使用目的に適した形状や大きさにすることが出来る。
【００１３】
図１に示している消しゴムの屑取り具のような粘着シートの積層体と持ち手を一体にしたものではなく、持ち手を設けず粘着シートの積層体のみの消しゴムの屑取り具とすることもできる。
【００１４】
文字等を消去した後の消しゴムは黒く汚れているが、この汚れを取るために従来は、無地の紙に汚れた部分を擦りつけて汚れを落としていた。そのため更に消し屑が出ていた。
しかし、この汚れも粘着部に消しゴムを当てて擦るだけで消しゴムの汚れは粘着面に吸着されて消し屑を出すこともなく簡単にきれいに落とすことができる。
【発明の効果】
【００１５】
以上の説明から明らかなように、本発明は次のような効果が得られる。
【００１６】
粘着シートを積層体とすることで、粘着面に消し屑を吸着させて取り除き粘着力が低下した底面の粘着シートは剥ぎ取るだけで新しい粘着面が現れ連続して消し屑を吸着することができる。
【００１７】
紙面に残った消し屑は従来、手や、鳥の羽根で払い除けていたため机上や床の上、畳の上等に散乱してゴミとなり、それを片付ける煩わしさがあったが本消しゴムの屑取り具を使用することで解消される。
【図面の簡単な説明】
【００１８】
【図１】本発明を実施するための消しゴムの屑取り具の斜視図である。
【図２】粘着シートと非粘着部を表した平面図である。
【図３】図2の側面図である。
【図４】図1の消しゴムの屑取り具の上部の持ち手である。
【図５】丸型のつまみをもった持ち手の側面図である。
【図６】図5の平面図である。
【図７】縦型のつまみを持つ持ち手の側面図である。
【図８】図7の平面図である。
【発明を実施するための形態】
【００１９】
以下、本発明の実施の形態を図1〜図8に基づいて説明する。
【実施例】
【００２０】
図1は本発明の消しゴムの屑取り具の斜視図であって1は粘着シートの積層体、3は持ち手で本用具を使用して粘着シートが少なくなったときに使用しづらくなるので残りの粘着シートを楽に使用出来るように設けた持ち手である。４は粘着部（面）である。
【００２１】
図2は粘着層の一部の1枚の平面図で粘着シート2に粘着シートを剥がし易いように非粘着部５を設けている。
【００２２】
図４は図１の上部の持ち手の斜視図である。
【００２３】
図５及び図６は丸いツマミを持った持ち手の側面図と平面図である。
【００２４】
図７、図８は小片の板状のツマミを持った持ち手の側面図と平面図である。
【００２５】
図１のような用具を製作した。
【００２６】
図１に示すように縦2,5cm,横5,5cm,高さ5,0cmの底面を粘着部とした粘着シートの積層体と上部に持ち手を設けた一体の消しゴムの屑取り具を製作した。
【００２７】
以上のような消しゴムの屑取り具で消しゴムを使用した後の消し屑を最下部の粘着シートで消し屑を粘着面に吸着させて取り除き、吸着力が低下した粘着シートは剥ぎとって、次の新しい粘着面に吸着させて取り除くことを連続して行うことが出来るので消し屑を散乱させる事がなくなり筆記作業が楽になった。
【符号の説明】
【００２８】
１  粘着シートの積層体
２  粘着シート
３  持ち手
４  粘着部（面）
５  非粘着部
６  丸いツマミ
７  丸いツマミを持つ持ち手
８  角のツマミ
９  角のツマミを持つ持ち手
【手続補正２】
【補正対象書類名】特許請求の範囲
【補正対象項目名】全文
【補正方法】変更
【補正の内容】
【特許請求の範囲】
【請求項１】
片面に粘着剤を塗布したシートを積層体とし，粘着面を底面とし、上部には持ち手を設け、これを一体の消しゴムの屑取り具とし、消しゴムを使用した際に出る消しゴムの消し屑を粘着部に吸着して取り除くことを連続して行えることを特徴とする消しゴムの屑取り具。
【請求項２】
片面に粘着剤を塗布したシートを積層体とした粘着シートの粘着力が低下した使用済みの粘着シートを剥がすことを容易にするために、粘着シートの一辺又は複数辺に非粘着部を設けたことを特徴とする請求項１記載の消しゴムの屑取り具。